(57)【要約】【課題】無線通信に係る設定情報を繰り返し設定することなく無線通信を行うことができる無線通信モジュールを提供することにある。【解決手段】電子機器本体部２０と着脱可能に接続して電子機器本体部２０とデータ通信を行い、他の無線通信装置、例えばアクセスポイント装置３と通信を行うための設定情報を入力するＩＦ２５１と、ＩＦ２５１から入力された設定情報を記憶するメモリ２５４と、メモリ２５４が記憶する設定情報、および電子機器本体部２０からＩＦ２５１を介して入力された通信制御信号を基に、他の無線通信装置と無線通信を行う制御部２５５，ベースバンド処理回路２５３，ＲＦ回路２５２を設けたので、無線通信に係る設定情報を繰り返し設定することなく無線通信を行うことができる。【選択図】図２
2005323307.tif 000002
【特許請求の範囲】
【請求項１】
無線通信装置本体部と着脱可能に接続して前記無線通信本体部とデータ通信を行い、他の無線通信装置と通信を行うための設定情報を入力するインタフェースと、
前記インタフェースから入力された前記設定情報を記憶する記憶手段と、
前記記憶手段が記憶する設定情報、および前記無線通信装置本体部から前記インタフェースを介して入力された通信制御信号を基に、前記他の無線通信装置と無線通信を行う無線通信手段と
を有する無線通信モジュール。
【請求項２】
前記記憶手段は、前記他の無線通信装置と通信を行うための無線通信識別情報、および暗号通信を行うための暗号設定情報のいずれかを前記設定情報として記憶し、
前記無線通信手段は、前記記憶手段が記憶する無線通信識別情報または暗号設定情報のいずれかを基に前記他の無線通信装置と無線通信を行う
請求項１に記載の無線通信モジュール。
【請求項３】
前記記憶手段は、前記他の無線通信装置と通信を行うための無線通信識別情報を、前記識別情報として記憶し、
前記無線通信手段は、前記他の無線通信装置に設定された無線通信識別情報と、前記記憶手段が記憶する前記無線通信識別情報が一致した場合に、当該他の無線通信装置と無線通信を行う
請求項１に記載の無線通信モジュール。
【請求項４】
前記記憶手段は、前記他の無線通信装置と暗号通信を行うための暗号設定情報を、前記設定情報として記憶し、
前記無線通信手段は、前記他の無線通信装置に設定された暗号設定情報と、前記記憶手段が記憶する前記暗号設定情報とが一致した場合に、当該他の無線通信装置と無線通信を行う
請求項１に記載の無線通信モジュール。
【請求項５】
前記記憶手段は、前記設定情報を、前記無線通信装置本体部と非接続時に保持可能である
請求項１に記載の無線通信モジュール。
【発明の詳細な説明】
【技術分野】
【０００１】
本発明は、例えば通信装置と無線通信を行う無線通信モジュールに関する。
【背景技術】
【０００２】
従来、無線方式によりデータ通信を行う無線通信装置が知られている。
例えばＩＥＥＥ（Institute of Electrical and Electronics Engineers）８０２．１１等に規定された方式により無線通信を行う装置は、他の無線通信装置と無線通信を行うための設定情報、例えばネットワークＩＤ情報ＳＳＩＤ（Service Set Identification）や、ＷＥＰ（Wired Equivalent Privacy）の暗号キーＷＥＰ ＫＥＹ等の設定情報を基に無線通信を行う（例えば、特許文献１参照）。
【０００３】
近年では、例えば上述した無線通信機能を含む無線通信回路はモジュール化されている。着脱可能な無線通信モジュールや無線通信カードは、例えばパーソナルコンピュータやＰＤＡ（Personal Digital Assistant）等の電子機器に接続して用いられる。
上述した設定情報は、電子機器により設定されて、電子機器の記憶装置に記憶される。
【特許文献１】特開２００３−２２９８７２号公報
【発明の開示】
【発明が解決しようとする課題】
【０００４】
しかし、上述した電子機器に接続された無線通信モジュールや無線通信カード等を取り外して、他の電子機器に接続した場合には、新たにその電子機器にて設定情報を設定するという煩雑な操作を行う必要がある。
また、無線通信モジュールや無線通信カード等にＳＳＩＤやＷＥＰ  ＫＥＹ等の設定情報が記憶されていないため、ＣＥ機器等でＩＥＥＥ８０２．１１等の無線通信を行わせる場合には、ＣＥ機器等にＳＳＩＤやＷＥＰ  ＫＥＹ等の設定情報を記憶させなければならず、簡単なユーザインタフェースしか持たない機器でＳＳＩＤやＷＥＰ  ＫＥＹ等の設定を行うのは非常に困難である。
このため、他の電子機器に接続した場合でも、無線通信に係る設定情報を繰り返し設定することなく通信を行うことができる無線通信モジュールが望まれている。
【０００５】
本発明は、かかる事情に鑑みてなされたものであり、その目的は、無線通信に係る設定情報を繰り返し設定することなく無線通信を行うことができる無線通信モジュールを提供することにある。
【課題を解決するための手段】
【０００６】
前記目的を達成するために、本発明の無線通信モジュールは、無線通信装置本体部と着脱可能に接続して前記無線通信本体部とデータ通信を行い、他の無線通信装置と通信を行うための設定情報を入力するインタフェースと、前記インタフェースから入力された前記設定情報を記憶する記憶手段と、前記記憶手段が記憶する設定情報、および前記無線通信装置本体部から前記インタフェースを介して入力された通信制御信号を基に、前記他の無線通信装置と無線通信を行う無線通信手段とを有する。
【０００７】
本発明の無線通信モジュールによれば、無線通信モジュールが無線通信本体部と接続時にインタフェースから入力された設定情報が記憶手段に記憶される。
無線通信手段は、記憶手段が記憶する設定情報、および無線通信装置本体部からインタフェースを介して入力された通信制御信号を基に、他の無線通信装置と無線通信を行う。
【発明の効果】
【０００８】
本発明の無線通信モジュールによれば、無線通信に係る設定情報を繰り返し設定することなく無線通信を行うことができる無線通信モジュールを提供することができる。
また、本発明の無線通信モジュールを用いれば、設定情報を入力するためのインタフェースをもたない機器でも簡単に無線通信が行えるようになる。
【発明を実施するための最良の形態】
【０００９】
図１は、本発明に係る無線通信モジュールを含む電子機器を採用した通信システムの一実施形態に係る全体構成図である。
本実施形態に係る通信システム１は、例えば図１に示すように、電子機器２、アクセスポイント装置３、およびデジタルカメラ４を有する。
【００１０】
例えば、電子機器２は、例えば本発明の実施形態に係る無線通信モジュール２５を含む。この無線通信モジュールは電子機器本体部２０と着脱可能に接続される。電子機器２は、無線通信モジュールを介してアクセスポイント装置３と、例えばＩＥＥＥ８０２．１１等により規定された無線方式により無線通信を行う。
【００１１】
アクセスポイント装置３は、例えば無線通信モジュールを備え、電子機器２やデジタルカメラ４と無線通信を行う。
デジタルカメラ４は、例えば上述した無線通信モジュール２５が着脱可能に接続され、アクセスポイント装置３と無線通信を行う。
なお、本実施形態では電子機器２は、無線通信モジュール２５へ設定情報を入力する入力手段として用いられる。
設定情報が無線通信モジュール２５に入力されると、無線通信モジュール２５は設定情報を保持して、他の電子機器、例えば設定情報を入力しにくいユーザインタフェースしか持たない電子機器に接続された場合でも、保持する設定情報に基づいて無線通信を行うことが可能である。
【００１２】
また、上述した通信システム１では、無線通信識別情報や暗号設定情報が一致した場合のみ、無線通信装置間で通信が可能である。
以下、本実施形態に係る無線通信モジュールが着脱可能に接続された電子機器２を図面を参照しながら説明する。
【００１３】
図２は、図１に示した本実施形態に係る無線通信モジュールを含む電子機器の機能ブロック図である。
本実施形態に係る電子機器２は、例えば図２に示すように、入力部２１、出力部２２、外部記憶部２３、インタフェース２４、無線通信モジュール２５、ＲＡＭ（Random Access Memory）２６、ＲＯＭ（Read Only Memory）２７、およびＣＰＵ（Central ＰProcessing Unit）２８を有する。
【００１４】
入力部２１、出力部２２、および外部記憶部２３は、入出力インタフェースＩＯＩＦにより接続されている。
入出力インタフェースＩＯＩＦ、インタフェース２４、無線通信モジュール２５、ＲＡＭ２６、ＲＯＭ２７、およびＣＰＵ２８は、バスＢＳにより接続されている。
【００１５】
入力部２１は、例えばユーザの操作に応じた信号を入出力インタフェースＩＯＩＦ，バスＢＳを介してＣＰＵ２８に出力する。例えば、入力部２１から設定情報が入力される。入力部２１は、例えばキーボードやマウス等の操作入力装置を含む。
出力部２２は、例えばＣＰＵ２８の制御により、文字や画像等を表示する液晶ディスプレイ（ＬＣＤ：Liquid Crystal Display）や、ブラウン管（ＣＲＴ：Cathode Ray Tube）等の表示装置を含む。
【００１６】
外部記憶部２３は、例えばＣＰＵ２８の制御により、データやアプリケーション等を記憶し、必要に応じてＣＰＵ２８により記憶するデータやアプリケーションが読み出される。
【００１７】
ＩＦ２４は、例えば無線通信モジュール２５と着脱可能に接続し、ＣＰＵ２８の制御に応じたデータの送受信を無線通信モジュール２５と行う。
【００１８】
無線通信モジュール２５は、電子機器本体部２０と着脱可能で、設定された設定情報に応じた無線方式により他の無線通信装置、例えばアクセスポイント装置３と無線通信を行う無線通信モジュールである。
無線通信モジュール２５は、例えば図２に示すように、インタフェース（ＩＦ）２５１、高周波（ＲＦ）回路２５２、ベースバンド（ＢＢ）処理回路２５３、メモリ２５４、および制御部（ＭＡＣ：Media Access Controller）２５５を有する。
ＩＦ２５１は本発明に係るインタフェースの一例に相当し、メモリ２５４は本発明に係る記憶手段の一例に相当する。
ＲＦ回路２５２、ベースバンド処理回路２５３、および制御部２５５は、本発明に係る無線通信手段の一例に相当する。
【００１９】
ＩＦ２５１は、電子機器本体部２０と着脱可能に接続して電子機器本体部２０とデータ通信を行い、他の無線通信装置と通信を行うための設定情報を入力する。
詳細には、ＩＦ２５１は、電子機器２のＩＦ２４と着脱可能に接続してＣＰＵ２８、制御部２５５、メモリ２５４等とデータ通信を行う。また、ＩＦ２５１は、ＣＰＵ２８からＩＦ２４を介して入力された、他の無線通信装置と通信を行うための設定情報を、制御部２５５やメモリ２５４に出力する。
ＩＦ２５１，ＩＦ２４は、例えばＵＳＢ（Universal Serial Bus）やＰＣカードやメモリインタフェース等のインタフェースである。
【００２０】
ＲＦ回路２５２は、例えばアンテナＡＮＴで受信した無線信号を所定の復調方式により復調してアナログ信号をベースバンド（ＢＢ）回路２５３に出力する。
また、ＲＦ回路２５２は、ベースバンド処理回路２５３から出力された信号を、所定の変調方式により変調処理を行い、アンテナＡＮＴを介して無線信号として出力する。
ＲＦ回路２５２は、例えば直交周波数分割多重変調方式（ＯＦＤＭ：Orthogonal Frequency Division Multiplexing）や、相補符号変調方式（ＣＫＫ：Complementary Code Keying）や、ＱＰＳＫ（Quadrature Phase Shift Keying）方式等の所定の方式により、データの送受信を行う。
【００２１】
ベースバンド処理回路２５３は、例えば制御部２５５の制御により、ＲＦ回路２５２から出力されたアナログ信号を処理してベースバンド信号、例えば音声信号や画像信号のデータを制御部（ＭＡＣ）２５５に出力する。
また、ベースバンド処理回路２５３は、制御部２５５から出力されたベースバンド信号をアナログ信号としてＲＦ回路２５２に出力する。
【００２２】
メモリ２５４は、例えば制御部２５５により制御され、ＩＦ２５１から入力された設定情報を記憶する。
メモリ２５４は、例えば無線通信モジュール２５が電子機器本体部２０と未装着時、詳細にはＩＦ２５１とＩＦ２４が未接続時であっても設定情報やデータ等を記憶して、保持する。
メモリ２５４は、例えばＥＥＰＲＯＭ（Electronically Erasable and Programmable Read Only Memory）や、フラッシュメモリ、蓄電池により記憶する情報を保持するＤＲＡＭ（Dynamic RAM）やＳＲＡＭ（Static RAM）等により構成される。
【００２３】
メモリ２５４は、例えば図２に示すように、ネットワークＩＤ情報ＳＳＩＤ、暗号キーＷＥＰ ＫＥＹ、およびプログラムＰＲＧ等を記憶する。
ネットワークＩＤ情報ＳＳＩＤおよび暗号キーＷＥＰ ＫＥＹは、本発明に係る設定情報の一例に相当する。
また、ネットワークＩＤ情報ＳＳＩＤは、本発明に係る無線通信識別情報の一例に相当し、暗号キーＷＥＰ ＫＥＹは本発明に係る暗号設定情報の一例に相当する。
【００２４】
図３は、図２に示した無線通信モジュールのメモリが記憶するネットワークＩＤ情報ＳＳＩＤ、および暗号キーＷＥＰ ＫＥＹを模式的に示す図である。
例えばメモリ２５４は、図３に示すように、所定のアドレスにネットワークＩＤ情報ＳＳＩＤ、および暗号キーＷＥＰ ＫＥＹを記憶する。
【００２５】
ネットワークＩＤ情報ＳＳＩＤは、他の無線通信装置、例えばアクセスポイント装置３と通信を行うための無線通信識別情報であり、例えば無線ＬＡＮ（Local Area Network）の基本単位となるセルをアクセスポイントに付加された識別情報である。
このネットワークＩＤ情報ＳＳＩＤが一致した場合にのみ無線通信装置間でデータ通信を行うことができる。
【００２６】
暗号キーＷＥＰ ＫＥＹは、他の無線通信装置、例えばアクセスポイント装置３と暗号通信を行うための暗号設定情報である。
上述したように例えばＷＥＰは、暗号無線通信における暗号化処理に関する規定であり、暗号キーＷＥＰ ＫＥＹが一致した場合にのみ無線通信装置間でデータ通信を行うことができる。また、送受信するデータも暗号キーＷＥＰ ＫＥＹを基に暗号化されて無線通信される。
【００２７】
プログラムＰＲＧは、本発明に係る機能を実行させる機能を含む。制御部２５５は例えばプログラムＰＲＧを実行することにより本発明に係る機能を実現する。
【００２８】
制御部２５５は、例えば無線通信モジュール２５の各構成要素を制御する。詳細には、制御部２５５は、ＩＦ２５１から入力された設定情報をメモリ２５４に記憶させる。
【００２９】
また、制御部２５５は、メモリ２５４が記憶する設定情報、および電子機器本体部２０からＩＦ２５１を介して入力された通信制御信号を基に、他の無線通信装置と無線通信を行う。
詳細には、制御部２５５は、メモリ２５４が記憶する設定情報、および電子機器本体部２０のＣＰＵ２８から、ＩＦ２４，ＩＦ２５１を介して入力された通信制御信号ＣＴＬ２５を基に、ベースバンド処理回路２５３およびＲＦ回路２５２に、他の無線通信装置と無線通信を行わせる。
【００３０】
詳細には、制御部２５５は、通信制御信号ＣＴＬ２５により、メモリ２５４が記憶するネットワークＩＤ情報ＳＳＩＤを基に、他の無線通信装置、例えばアクセスポイント装置３に設定されたネットワークＩＤ情報ＳＳＩＤと一致しているか否かを判別し、一致していると判別した場合にのみ、その無線通信装置と無線通信を行う。
【００３１】
また、制御部２５５は、通信制御信号ＣＴＬ２５により、メモリ２５４が記憶する暗号キーＷＥＰ ＫＥＹを基に暗号化処理を行う。
また、制御部２５５は、通信制御信号ＣＴＬ２５により、メモリ２５４が記憶する暗号キーＷＥＰ ＫＥＹと、他の無線通信装置、例えばアクセスポイント装置３に設定された暗号キーＷＥＰ ＫＥＹとが一致した場合にのみ、その無線通信装置と暗号化処理を行う。
【００３２】
暗号化処理時には、制御部２５５は、例えば電子機器本体部２０のＣＰＵ２８から、ＩＦ２４，ＩＦ２５１を介して入力されたデータ（平文ともいう）に対してＣＲＣ（Cyclic Redundancy Check）３２によって、平文の完全性を検査値（ＩＣＶ：Integrity Check Value）を演算して平文に付加する。
制御部２５５は、データ通信の単位であるパケット毎に変化する初期ベクタＩＶ（Initialization Vector）および暗号キーＷＥＰ ＫＥＹを、乱数発生のための鍵（Seed）として、例えばＲＣ４（Rivest’s Cipher 4）等の擬似乱数発生部により擬似乱数列を生成する。
制御部２５５は、上述したＩＣＶが付加された平文と擬似乱数列との排他的論理和ＸＯＲを施して暗号文を生成し、その暗号文に初期ベクタＩＶを付加して暗号通信データを生成する。
また、制御部２５５は、その暗号通信データをベースバンド処理回路２５３，ＲＦ回路２５２に送信させる。
【００３３】
復号処理時には、制御部２５５は、通信制御信号ＣＴＬ２５により、アンテナＡＮＴ，ＲＦ回路２５２，ベースバンド処理回路２５３を介して受信した暗号通信データを、メモリ２５４が記憶する暗号キーＷＥＰ ＫＥＹを基に復号処理を行う。
【００３４】
詳細には、制御部２５５は、初期ベクタＩＶが付加された暗号通信データから初期ベクタＩＶを抽出し、その初期ベクタＩＶをメモリ２５４が記憶する暗号キーＷＥＰ ＫＥＹに付加して鍵（Seed）を生成して、その鍵を基に擬似乱数発生部により擬似乱数列を生成する。
制御部２５５は、その擬似乱数列と、暗号通信データとの排他的論理和ＸＯＲを施して平文（元のデータ）およびＩＣＶを生成する。
また、制御部２５５は、その平文にＣＲＣ−３２を施してチェック用ＩＣＶを生成して、ＩＣＶと比較を行うことで平文の信憑性を検査する。制御部２５５は、復号した平文（元のデータ）をＩＦ２５１，ＩＦ２４を介して電子機器本体部２０のＣＰＵ２８に出力する。
【００３５】
ＲＡＭ２６は、例えばＣＰＵ２８の制御により、ワークスペースとして用いられる。
ＲＡＭ２６は、例えばプログラムＰＲＧ、ドライバＤＲ、およびデータ等を記憶する。
プログラムＰＲＧは、例えばＣＰＵ２８により実行されて電子機器２の各構成要素を制御する。
プログラムＰＲＧは、例えば設定情報を設定するための設定アプリケーションを含む。設定アプリケーションはＣＰＵ２８により実行され、例えばＧＵＩ（Graphical User Interface）により、入力部２１からの入力信号を元に設定データを生成する。
【００３６】
ドライバＤＲは、例えば無線通信モジュール２５を制御するためのソフトウェアであり、ＣＰＵ２８により実行されて無線通信モジュール２５との通信を行う機能を有する。
ＲＯＭ２７は、例えば初期設定データ等を記憶し、ＣＰＵ２８によりそのデータが読み出される。
【００３７】
ＣＰＵ２８は、例えばプログラムＰＲＧを実行することにより、電子機器２の全体を制御する。
また、ＣＰＵ２８は、ＩＦ２４を介して無線通信モジュール２５とデータ通信を行う。詳細にはＣＰＵ２８は、ＩＦ２４を介して、例えば無線通信モジュール２５にデータ通信を行わせる通信制御信号ＣＴＬ２５を出力する。
【００３８】
また、ＣＰＵ２８は、無線通信モジュール２５からＩＦ２５１およびＩＦ２４を介して入力された信号、例えば音声情報、画像情報、文字情報等の信号を基に所定処理、例えば出力部２２に画像情報に応じた画像や文字情報に応じた文字を表示させ、不図示の発音装置に音声情報に応じた発音を行わせる。
【００３９】
図４は、設定情報を設定時の動作を説明するための図である。図４を参照しながら、ＣＰＵ２８，制御部２５５の動作を中心に設定情報を設定する動作を説明する。
設定情報の設定時には、ＣＰＵ２８は、例えば設定アプリケーションＰＲＧを実行する。
ＣＰＵ２８は、例えば出力部２２に設定情報を設定させるための画像を表示させ、入力部２１のマウスやキーボードから入力された信号を基に設定情報、詳細にはネットワークＩＤ情報ＳＳＩＤや、暗号キーＷＥＰ ＫＥＹ等を生成する。
【００４０】
ＣＰＵ２８は、設定アプリケーションＰＲＧにより生成した設定情報をドライバＤＲに出力する。
具体的には、例えばＣＰＵ２８は、
「wlanctl-ng wlan0 lnxreq_autojoin ssid=<your ssid>authtype=opensystem」
等の指示をドライバＤＲに出力することで設定情報をドライバＤＲに出力する。
【００４１】
ＣＰＵ２８は、その指示を受けて、ドライバＤＲを実行してＩＦ２４を介して無線通信モジュール２５内のメモリ２５４に設定情報を格納する。
例えば詳細には、ドライバＤＲは、以下の書き込み指示を実行する。
【００４２】
mov ax, 0dh  （axレジスタに0thを代入）；
mov MEMORY , ax  （メモリ２５４のMEMORY番地に、axレジスタの値を代入）；
【００４３】
制御部２５５は、ＩＦ２５１を介してドライバＤＲから入力された設定情報の書き込み指示に基づいて、メモリ２５４に設定情報を記憶させる。
設定情報、例えばネットワークＩＤ情報ＳＳＩＤ、および暗号キーＷＥＰ ＫＥＹは、例えば図３に示すようにメモリ２５４内に記憶される。
【００４４】
また、制御部２５５は、メモリ２５４が記憶する設定情報、詳細にはネットワークＩＤ情報ＳＳＩＤや暗号キーＷＥＰ ＫＥＹ、および電子機器２からＩＦ２５１を介して入力された通信制御信号を基に、ベースバンド処理回路２５３，ＲＦ回路２５２に、他の無線通信装置、例えばアクセスポイント装置３と無線通信を行わせる。
【００４５】
詳細には、制御部２５５は、通信制御信号ＣＴＬ２５により、メモリ２５４が記憶するネットワークＩＤ情報ＳＳＩＤを基に、他の無線通信装置、例えばアクセスポイント装置３に設定されたネットワークＩＤ情報ＳＳＩＤと一致しているか否かを判別し、一致していると判別した場合にのみ、その無線通信装置と無線通信を行う。
【００４６】
また、制御部２５５は、通信制御信号ＣＴＬ２５により、メモリ２５４が記憶する暗号キーＷＥＰ ＫＥＹを基に、ＩＦ２４，ＩＦ２５１を介してＣＰＵ２８から入力されたデータに暗号化処理を施して暗号通信データを生成し、その暗号通信データをベースバンド処理回路２５３，ＲＦ回路２５２に送信させる。
【００４７】
復号処理時には、制御部２５５は、通信制御信号ＣＴＬ２５により、アンテナＡＮＴ，ＲＦ回路２５２，ベースバンド処理回路２５３を介して受信した暗号通信データを、メモリ２５４が記憶する暗号キーＷＥＰ ＫＥＹを基に上述した復号処理を行い元のデータを生成して、そのデータをＩＦ２５１，ＩＦ２４を介してＣＰＵ２８に出力する。
【００４８】
また、無線通信モジュール２５を、電子機器本体部２０から取り外した場合、詳細にはＩＦ２４とＩＦ２５１とを未接続状態にした場合であっても、設定情報は、ＥＥＰＲＯＭ等のメモリ２５４内に保持されている。
例えば、この無線通信モジュール２５を他の電子機器、例えばデジタルカメラ４に接続した場合には、新たに設定情報を設定することなく、アクセスポイント装置３等の無線通信装置と無線通信を行うことができる。
【００４９】
以上、説明したように、電子機器本体部２０と着脱可能に接続して電子機器本体部２０とデータ通信を行い、他の無線通信装置、例えばアクセスポイント装置３と通信を行うための設定情報を入力するＩＦ２５１と、ＩＦ２５１から入力された設定情報を記憶するメモリ２５４と、メモリ２５４が記憶する設定情報、および電子機器本体部２０からＩＦ２５１を介して入力された通信制御信号を基に、他の無線通信装置と無線通信を行う制御部２５５，ベースバンド処理回路２５３，ＲＦ回路２５２を設けたので、無線通信に係る設定情報を繰り返し設定することなく無線通信を行うことができる。
【００５０】
また、一度、ネットワークＩＤ情報ＳＳＩＤや暗号キーＷＥＰ ＫＥＹ等の設定情報をメモリ２５４に記憶させると、未装着時であってもメモリ２５４に設定情報を保持するので、無線通信モジュール２５を他の電子機器、例えば煩雑な操作を行って設定情報を設定するような簡単なユーザインタフェースを持つ電子機器等に接続した場合であっても、再度設定情報を設定することなく、設定されたアクセスポイント装置３と無線通信を行うことができる。
【００５１】
なお、本発明は本実施形態に限られるものではなく、任意好適な改変が可能である。
上述した実施形態では、無線通信モジュール２５は、ＩＦ２５１、ＲＦ回路２５２、ベースバンド処理回路２５３、メモリ２５４、制御部２５５等を主構成要素としたが、この形態に限られるものではない。
【００５２】
例えば図５に示すように、無線通信モジュール２５に、ＲＦ回路２５２およびベースバンド処理回路２５３等を含む通信チップ群２５６と、設定情報を記憶するメモリ２５４とを設けてもよい。この際、ネットワークＩＤ情報ＳＳＩＤや暗号キーＷＥＰ ＫＥＹ等の処理は、電子機器２のＣＰＵ２８が行い不図示のインタフェースを介して通信チップ群２５６に出力してもよい。
未接続時にメモリ２５４が設定情報を記憶していればよい。
【００５３】
また、例えば図６に示すように、アンテナＡＮＴ、アンテナＡＮＴが接続されたＲＦ回路２５２、メモリ（ＥＥＰＲＯＭ）２５４、およびベースバンド処理回路およびＭＡＣ（Media Access Control）回路を主構成要素としてもよい。
ＭＡＣ（Media Access Control）回路は、ＭＡＣ層の処理を行い、例えば無線通信モジュール２５それぞれに割り当てられたＭＡＣアドレス等を無線通信により送受信させてもよい。所定のＭＡＣアドレスが付加された無線通信データのみを、送受信することでよりセキュリティ性が高くなる。
【００５４】
また、上述した実施形態ではＩＥＥＥ８０２．１１等の規格により無線通信を行ったが、この形態に限られるものではない。他の無線通信方式により無線通信を行ってもよい。無線通信モジュール２５内のメモリ２５４は、その無線方式に応じた設定情報を記憶してよい。
【産業上の利用可能性】
【００５５】
本発明の無線通信モジュールは、例えば無線ＬＡＮ等の無線通信を行う無線モジュールに適用することができる。
【図面の簡単な説明】
【００５６】
【図１】本発明に係る無線通信モジュールを含む電子機器を採用した通信システムの一実施形態に係る全体構成図である。
【図２】図１に示した本実施形態に係る無線通信モジュールを含む電子機器の機能ブロック図である。
【図３】図２に示した無線通信モジュールのメモリが記憶するネットワークＩＤ情報ＳＳＩＤ、および暗号キーＷＥＰ ＫＥＹを模式的に示す図である。
【図４】設定情報を設定時の動作を説明するための図である。
【図５】本発明に係る無線モジュールの他の実施形態の機能ブロック図である。
【図６】本発明に係る無線モジュールの他の実施形態の機能ブロック図である。
【符号の説明】
【００５７】
１…通信システム、２…電子機器、３…アクセスポイント装置、４…デジタルカメラ、２１…入力部、２２…出力部、２３…外部記憶部、２４…インタフェース、２５…無線通信モジュール、２６…ＲＡＭ、２７…ＲＯＭ、２８…ＣＰＵ、２５１…インタフェース（ＩＦ）、２５２…高周波（ＲＦ）回路、２５３…ベースバンド（ＢＢ）処理回路、２５４…メモリ、２５５…制御部。
【図１】
2005323307.tif 000003
【図２】
2005323307.tif 000004
【図３】
2005323307.tif 000005
【図４】
2005323307.tif 000006
【図５】
2005323307.tif 000007
【図６】
2005323307.tif 000008